(57)【要約】【課題】印刷物に対し差し替えを行う場合の、印刷および差し替えを容易に行う画像形成装置システムの提供。【解決手段】複写機で差分印刷および差し替え機能を持たせる画像形成装置システム。【選択図】        図１
2007043375.tif 000002
【特許請求の範囲】
【請求項１】
ネットワークに接続されたコンピュータ端末と画像形成装置とを備えた画像形成装置システムにおいて、
前記コンピュータ端末は、前記コンピュータ端末で扱われる文書を画像形成装置でプリントするためのデータに変換するプリントデータ変換手段と、
前記変換手段により変換された前記プリントデータを前記ネットワークを介して前記画像形成装置に送出する送出手段を有し、
前記画像形成装置は前記送出手段により送出された前記プリントデータを受信する受信手段と、
前記受信手段により受信した前記プリントデータをイメージに展開する展開手段と、
前記展開手段により展開されたイメージ、あるいは前記コンピュータ端末から受信した前記プリントデータを、前記画像形成装置内に蓄積しておく蓄積手段と、
前記蓄積手段により蓄積されたイメージのプリントを指示する操作指示手段と、
前記操作指示手段により指示されたイメージをプリントするプリント手段を有し、
また、前記画像形成装置はシートを載置する載置手段と、
前記載置されたシートを搬送する搬送手段と、
前記載置されたシートに前記プリント手段において搬送されたシートを挿入する挿入手段と、
前記載置されたシートおよび前記プリント手段において搬送されたシートを蓄積する手段を少なくとも２つ備えたシート処理装置を有し、
前記コンピュータ端末において前記画像形成装置に対し文書を蓄積する際に、差し替え印刷を行うかどうかを指示する手段を有し、前記差し替え印刷を行う場合、前記画像形成装置は、挿入ページでは、前記プリント手段でプリントされたシートを第１の蓄積手段へ排出する手段、削除ページでは、前記載置されたシートを第２の蓄積手段へ排出する手段、差し替えページでは前記載置されたシートを第２の蓄積手段へ排出、および、前記プリント手段でプリントされたシートを第１の蓄積手段へ排出する手段、その他のページは前記載置されたシートを第１の蓄積手段へ排出する手段、またはこれらの手段の任意の組み合わせを有することを特徴とした画像形成装置システム。
【請求項２】
請求項１記載の画像形成装置システムにおいて、差し替え印刷を行う際に、元原稿となる前記載置シートと、差し替え後の原稿となるプリントデータの種類の違いは問わないことを特徴とした画像形成装置システム。
【請求項３】
請求項１記載の画像形成装置システムにおいて、差し替え印刷を行う際に、前記載置されたシートの部数、ページ数、および前記文書の部数、ページ数、および挿入ページ、削除ページ、差し替えページの情報を前記プリントデータに含ませる機能を特徴とした画像形成装置システム。
【請求項４】
請求項１または請求項２記載の画像形成装置システムにおいて、差し替え印刷を行った際に、前記載置手段に載置するシートの部数より、前記差し替え印刷時のシート部数が多い場合、差し替え印刷時のシート部数と載置シートの部数との差の部数分、前記展開手段によって展開されたイメージをプリントする機能を特徴とした画像形成装置システム。
【請求項５】
請求項１または請求項２記載の画像形成装置システムにおいて、差し替え印刷を行った際に、前記載置手段に載置するシートの部数より、前記差し替え印刷時のシート部数が少ない場合、差し替え印刷時のシート部数分、差し替え印刷を行った後に、差し替え印刷時のシート部数と載置シートの部数との差と載置シートのページ数との積の枚数分、前記第２の蓄積手段へ排出する機能を特徴とした画像形成装置システム。
【請求項６】
画像形成装置において、
前記画像形成装置は原稿を読み取るための画像読み取り手段と、
前記画像読み取り手段によって読み取られたイメージをプリントするプリント手段と、
シートを載置する載置手段と、
前記載置されたシートを搬送する搬送手段と、
前記載置されたシートに前記プリント手段において搬送されたシートを挿入する挿入手段と、
前記載置されたシートおよび前記プリント手段において搬送されたシートを蓄積する手段を少なくとも２つ備えたシート処理装置を有し、
また、前記画像形成装置は差し替え印刷を行うかどうかを指示する手段を有し、前記差し替え印刷を行う場合、前記画像形成装置は、挿入ページでは、前記プリント手段でプリントされたシートを第１の蓄積手段へ排出する手段、削除ページでは、前記載置されたシートを第２の蓄積手段へ排出する手段、差し替えページでは前記載置されたシートを第２の蓄積手段へ排出、および、前記プリント手段でプリントされたシートを第１の蓄積手段へ排出する手段、その他のページは前記載置されたシートを第１の蓄積手段へ排出する手段、またはこれらの手段の任意の組み合わせを有することを特徴とした画像形成装置システム。
【請求項７】
請求項６記載の画像形成装置システムにおいて、差し替え印刷を行う際に、元原稿となる前記載置シートと、差し替え後の原稿となる前記画像読み取り手段によって読み取る原稿の種類の違いは問わないことを特徴とした画像形成装置システム。
【請求項８】
請求項６記載の画像形成装置システムにおいて、差し替え印刷を行う際に、前記載置されたシートの部数、ページ数、および前記文書の部数、ページ数、および挿入ページ、削除ページ、差し替えページの情報を前記プリントデータに含ませる機能を特徴とした画像形成装置システム。
【請求項９】
請求項６または請求項７記載の画像形成装置システムにおいて、差し替え印刷を行った際に、前記載置手段に載置するシートの部数より、前記差し替え印刷時のシート部数が多い場合、差し替え印刷時のシート部数と載置シートの部数との差の部数分、前記展開手段によって展開されたイメージをプリントする機能を特徴とした画像形成装置システム。
【請求項１０】
請求項６または請求項７記載の画像形成装置システムにおいて、差し替え印刷を行った際に、前記載置手段に載置するシートの部数より、前記差し替え印刷時のシート部数が少ない場合、差し替え印刷時のシート部数分、差し替え印刷を行った後に、差し替え印刷時のシート部数と載置シートの部数との差と載置シートのページ数との積の枚数分、前記第２の蓄積手段へ排出する機能を特徴とした画像形成装置システム。
【発明の詳細な説明】
【技術分野】
【０００１】
本発明は画像形成装置システムに関し、シート処理装置を用いて仕分け処理を実行する画像形成装置及び画像形成方法ならびに画像形成方法を実行するプログラムに関するものである。
【背景技術】
【０００２】
近年、ＰＣ（パーソナルコンピュータ）や、そのＰＣ上で動作する高性能なワープロなどのアプリケーションの普及により、オフィスにおいてはもちろんのこと家庭においてまで、さまざまなドキュメント（文章）が電子化されてきている。これらのドキュメントの作成過程においては、実際に全ページ印刷をしてチェックしては再び修正する、ということを繰り返し行い、完成度を高めていくことが多い。また、完成したドキュメントでも定期的に更新作業が行われるようなものもある。このような修正（更新）作業後にドキュメントを印刷する際には、修正ページや追加ページのみ印刷を行い、ページの差し替えや追加を行うことが、コスト面や環境面において用紙の無駄もなく理想的である。そのため従来、ユーザは修正ページを常に認識し、そのページを指定して印刷を行う必要があった。これに対し、修正ページや追加ページを自動的に認識し、必要ページのみを印刷する技術が発明されている（例えば、特許文献１参照）。
【特許文献１】特開２００３−３３０６５８号公報
【発明の開示】
【発明が解決しようとする課題】
【０００３】
前述の技術では、修正ページの印刷を自動的に行うことはできるが、ページの差し替えは手作業で行わなければならず、特に大量の印刷物では、ユーザの手間が非常に大きいという問題点があった。また、差し替え印刷の際に部数を変更することも考えられる。そこで本発明は、部数変更に対応し、修正ページの印刷および差し替え作業を自動的に行う画像形成装置システムを提案する。
【課題を解決するための手段】
【０００４】
上記課題を解決するために、本発明に係る画像形成装置システムは、
ネットワークに接続されたコンピュータ端末と画像形成装置を備えた画像形成装置システムにおいて、
前記コンピュータ端末は、前記コンピュータ端末で扱われる文書を画像形成装置でプリントするためのデータに変換するプリントデータ変換手段と、
前記変換手段により変換された前記プリントデータを前記ネットワークを介して前記画像形成装置に送出する送出手段を有し、
前記画像形成装置は前記送出手段により送出された前記プリントデータを受信する受信手段と、
前記受信手段により受信した前記プリントデータをイメージに展開する展開手段と、
前記展開手段により展開されたイメージ、あるいは前記コンピュータ端末から  受信した前記プリントデータを、前記画像形成装置内に蓄積しておく蓄積手段と、
前記蓄積手段により蓄積されたイメージのプリントを指示する操作指示手段と、
前記操作指示手段により指示されたイメージをプリントするプリント手段を有し、
また、前記画像形成装置はシートを載置する載置手段と、
前記載置されたシートを搬送する搬送手段と、
前記載置されたシートに前記プリント手段において搬送されたシートを挿入する挿入手段と、
前記載置されたシートおよび前記プリント手段において搬送されたシートを蓄積する手段を少なくとも２つ備えたシート処理装置を有し、
前記コンピュータ端末において前記画像形成装置に対し文書を蓄積する際に、差し替え印刷を行うかどうかを指示する手段を有し、前記差し替え印刷を行う場合、前記画像形成装置は、挿入ページでは、前記プリント手段でプリントされたシートを第１の蓄積手段へ排出する手段、削除ページでは、前記載置されたシートを第２の蓄積手段へ排出する手段、差し替えページでは前記載置されたシートを第２の蓄積手段へ排出、および、前記プリント手段でプリントされたシートを第１の蓄積手段へ排出する手段、その他のページは前記載置されたシートを第１の蓄積手段へ排出する手段、またはこれらの手段の任意の組み合わせの機能を有する。
【０００５】
上記課題を解決するために、前記画像形成装置は、請求項１記載の画像形成装置システムにおいて、差し替え印刷を行う際に、元原稿となる前記載置シートと、差し替え後の原稿となるプリントデータの種類の違いは問わない機能を有する。
【０００６】
上記課題を解決するために、前記画像形成装置は、請求項１記載の画像形成装置システムにおいて、差し替え印刷を行う際に、前記載置されたシートの部数、ページ数、および前記文書の部数、ページ数、および挿入ページ、削除ページ、差し替えページの情報を前記プリントデータに含ませる機能を有する。
【０００７】
上記課題を解決するために、前記画像形成装置は、請求項１または請求項２記載の画像形成装置システムにおいて、差し替え印刷を行った際に、前記載置手段に載置するシートの部数より、前記差し替え印刷時のシート部数が多い場合、差し替え印刷時のシート部数と載置シートの部数との差の部数分、前記展開手段によって展開されたイメージをプリントする機能を有する。
【０００８】
上記課題を解決するために、前記画像形成装置は、請求項１または請求項２記載の画像形成装置システムにおいて、差し替え印刷を行った際に、前記載置手段に載置するシートの部数より、前記差し替え印刷時のシート部数が少ない場合、差し替え印刷時のシート部数分、差し替え印刷を行った後に、差し替え印刷時のシート部数と載置シートの部数との差と載置シートのページ数との積の枚数分、前記第２の蓄積手段へ排出する機能を有する。
【０００９】
上記課題を解決するために、前記画像形成装置は、
画像形成装置において、
前記画像形成装置は原稿を読み取るための画像読み取り手段と、
前記画像読み取り手段によって読み取られたイメージをプリントするプリント手段と、
シートを載置する載置手段と、
前記載置されたシートを搬送する搬送手段と、
前記載置されたシートに前記プリント手段において搬送されたシートを挿入する挿入手段と、
前記載置されたシートおよび前記プリント手段において搬送されたシートを蓄積する手段を少なくとも２つ備えたシート処理装置を有し、
また、前記画像形成装置は差し替え印刷を行うかどうかを指示する手段を有し、前記差し替え印刷を行う場合、前記画像形成装置は、挿入ページでは、前記プリント手段でプリントされたシートを第１の蓄積手段へ排出する手段、削除ページでは、前記載置されたシートを第２の蓄積手段へ排出する手段、差し替えページでは前記載置されたシートを第２の蓄積手段へ排出、および、前記プリント手段でプリントされたシートを第１の蓄積手段へ排出する手段、その他のページは前記載置されたシートを第１の蓄積手段へ排出する手段、またはこれらの手段の任意の組み合わせの機能を有する。
【００１０】
上記課題を解決するために、前記画像形成装置は、請求項６記載の画像形成装置システムにおいて、差し替え印刷を行う際に、元原稿となる前記載置シートと、差し替え後の原稿となる前記画像読み取り手段によって読み取る原稿の種類の違いは問わない機能を有する。
【００１１】
上記課題を解決するために、前記画像形成装置は、請求項６記載の画像形成装置システムにおいて、差し替え印刷を行う際に、前記載置されたシートの部数、ページ数、および前記文書の部数、ページ数、および挿入ページ、削除ページ、差し替えページの情報を前記プリントデータに含ませる機能を有する。
【００１２】
上記課題を解決するために、前記画像形成装置は、請求項６または請求項７記載の画像形成装置システムにおいて、差し替え印刷を行った際に、前記載置手段に載置するシートの部数より、前記差し替え印刷時のシート部数が多い場合、差し替え印刷時のシート部数と載置シートの部数との差の部数分、前記展開手段によって展開されたイメージをプリントする機能を有する。
【００１３】
上記課題を解決するために、前記画像形成装置は、請求項６または請求項７記載の画像形成装置システムにおいて、差し替え印刷を行った際に、前記載置手段に載置するシートの部数より、前記差し替え印刷時のシート部数が少ない場合、差し替え印刷時のシート部数分、差し替え印刷を行った後に、差し替え印刷時のシート部数と載置シートの部数との差と載置シートのページ数との積の枚数分、前記第２の蓄積手段へ排出する機能を有する。
【発明の効果】
【００１４】
本発明によれば、ユーザがドキュメントの印刷実行時に「差し替え印刷を実行する」と指定しておけば、差し替え印刷されたページを手作業で差し替える煩わしさを必要とせず、誰でも簡単に差し替え印刷を実行することを可能とする効果がある。また、この差し替え印刷機能をプリンタドライバに内蔵することにより、各アプリケーションに依存せず、どのようなアプリケーションで作成したドキュメントに対しても差し替え印刷が実行可能とする効果もある。
【発明を実施するための最良の形態】
【００１５】
［システムの概要説明］
図１は本発明の実施系システムの構成を示すブロック図、図２は実施系システムにおける画像形成装置の構成図である。本システムが有する機能についての概要を図１、２を用いて説明する。
【００１６】
画像形成装置１０１はフルカラーでスキャンまたは、プリントなどが可能なカラースキャナ／プリンタ機器であり、内部ネットワーク１０２、画像データ転送のためのＶｉｄｅｏケーブル１０３を介して外部コントローラ１０４と接続されており、さらに外部コントローラ１０４は、もう一方の外部ネットワーク１０５を介してコンピュータ端末１０６が接続されているネットワークシステムに接続されている。
【００１７】
画像形成装置１０１は、スキャナ部２０１、プリンタ部２０２を有しており、スキャナ部２０１から読み取った画像をプリンタ部２０２にてプリントするコピー機能を備えている。また、ユーザが画像形成装置１０１の機能の実行を指示したり、機能実行時の動作設定を行ったり、またあるいは画像形成装置１０１の状態をユーザに知らせるための操作部２０３も備えている。
【００１８】
こうした画像形成装置１０１のスキャナ部２０１、プリンタ部２０２の動作や、操作部１０８からのユーザ指示／状態表示は、画像形成装置内部の装置内コントローラ２０４によって処理される。装置内コントローラ２０４では、スキャナ部２０１、プリンタ部２０２にて扱われる画像データの処理や、外部コントローラとの内部ネットワーク１０２と接続されるネットワークとのデータ送受信をも行っており、画像形成装置１０１の全体の動作制御、状態管理、画像処理は装置内コントローラ２０４で行われる。また、プリンタ部２０２の先にはステイプルなどの後処理を行うフィニッシャ部２０５が接続される。
【００１９】
また、本システムでは、コンピュータ端末１０６で作成したドキュメントをＰＤＬデータとして外部ネットワーク１０５を介して外部コントローラ１０４に送信し、外部コントローラ１０４で、受信したＰＤＬデータをイメージに展開し、画像形成装置１０１にてプリント可能なデータ形式にしてＶｉｄｅｏケーブル１０３を介して画像形成装置１０１に送信するとともに、プリント時の動作設定やＶｉｄｅｏケーブル１０３にて送出する画像データの諸情報を内部ネットワーク１０２にて通信して、プリントするというネットワークプリンタ機能も備えている。
【００２０】
さらに、本システムでは、画像形成装置１０１にてスキャンした画像をコンピュータ端末１０６に表示／保存するネットワークスキャン機能を有している。ネットワークスキャン機能はその操作形態から、プルスキャン機能／プッシュスキャン機能に大別される。プルスキャン機能はユーザがスキャン指示をコンピュータ端末１０６にて行うものであり、プッシュスキャン機能ではユーザはスキャン指示を画像形成装置１０１の操作部２０３にて行うというスキャン指示を行う形態が異なるものである。プルスキャン／プッシュスキャンいずれの機能であっても、画像形成装置１０１はユーザからの指示によって、スキャナ部２０１に予め載置された原稿画像を読み取り、読み取った画像をコンピュータ端末１０６にて扱うのに適した形式で、内部ネットワーク１０２、外部コントローラ１０４、外部ネットワーク１０５を介して、コンピュータ端末１０６に転送することによって実現される。
【００２１】
本システムの画像形成装置１０１はフルカラー画像を扱うため、プリンタ部２０２での画質向上を目的とした画質調整機能を備えている。これは画像形成装置１０１単体での濃度調整と、コンピュータ端末１０６からの電子文書のプリントとの２種類の色調整がある。
【００２２】
画像形成装置１０１単体の色調整は、プリンタ部２０２にて規程の画像をプリントし、その画像をスキャナ部２０１で読み取ることにより、プリンタ部２０２の特性を内部コントローラ２０４の画像処理にて行われる濃度調整値に反映させ、安定した画像をプリントすることができるようにしたものである。この際のプリントに用いられる規程の画像は、装置内コントローラ２０４にて生成される。
【００２３】
コンピュータ端末１０６からの電子文書のプリントにおける色調整は、外部コントローラ１０４主導で行われるもので、外部コントローラ１０４にて規程の画像を画像形成装置１０１に送信、プリントさせ、プリントされた画像をスキャナ部２０１で読み取り、読み取った画像を外部コントローラ１０４が受信することにより、外部コントローラが画像形成装置１０１の画像特性を認識できる。この認識された特性は、コンピュータ端末１０６からのＰＤＬデータをイメージに展開する際に外部コントローラ１０４が考慮する値として保持される。
【００２４】
［装置内コントローラ１０９の構成］
装置内コントローラ２０４の構成を図３を用いて説明する。装置内コントローラ２０４は、ＣＰＵ３０１、ワークメモリ３０２、画像処理部３０３、画像メモリ３０４、大容量記憶装置（以下、ＨＤＤ）３０５によって構成され、画像処理部３０３は画像信号線にて、それぞれスキャナ部２０１／プリンタ部２０２、及びＶｉｄｅｏケーブル１０３を介しての外部コントローラ１０４と接続されている。またさらに画像処理部３０３は画像メモリ３０４とも接続され、画像メモリ３０４の先にはファクシミリ通信部３０６もつながっている。
【００２５】
つまり、スキャナ部２０１より画像データを画像処理部３０３を介して画像メモリ３０４、ＨＤＤ３０５に格納し、格納された画像データは再び画像メモリ３０４、画像処理部３０３を介してプリンタ部２０２に送出される。また外部コントローラ１０４からも同様にＶｉｄｅｏケーブル１０３を介して画像データを入力できる。ファクシミリ通信部３０６に対してはファクシミリ送受信に用いられる画像データの入出力ができるようになっている。このＨＤＤ３０５への画像格納の機能を利用して、スキャナ部２０１より入力された画像、あるいは外部コントローラ１０４からＶｉｄｅｏケーブル１０３を介して入力した画像を、すぐにプリントせずにＨＤＤ３０５に蓄積しておき、ユーザがプリントまたはファクスしたいときに操作部２０３からプリント／ファクスしたり、複数のユーザ間でＨＤＤ３０５に蓄積した画像を共用するといったボックス機能も実現している。
【００２６】
ＣＰＵ３０１はＨＤＤ３０５に格納されたプログラムにしたがって動作し、またさらに操作部２０３の制御も合わせて行う。ＣＰＵ３０１は機器内のファクシミリ通信部３０６などの各処理部も制御し、さらにプリンタ部２０２／スキャナ部２０１とも画像データ送受信の同期を図るための通信を行う。同様に外部コントローラ１０４との内部ネットワーク１０２での通信のためネットワークインターフェイス部３０７にもアクセスする。
【００２７】
装置内コントローラにおいては、ＨＤＤ３０５に格納されたデータをＷｅｂサービスなどにより内部ネットワーク１０２、及び外部コントローラ１０４を介して機器の状態をコンピュータ端末１０６にて参照したり、あるいはコンピュータ端末１０６より画像形成装置１０１の設定をしたりすることが可能なリモート操作サービスを提供している。
【００２８】
［操作部２０３］
図４を用いて操作部２０３について説明する。操作部２０３にはＬＣＤ表示画面４０１があり、ここに画像形成装置１０１の設定や状況が表示される。図４においては動作設定画面４０２にてコピー画面を参考に示しており、コピー時のズーム設定や給紙段設定、印刷部数などが表示されている。動作設定画面４０２は機能キー４０３によって、ファクシミリ機能や、外部コントローラ１０４からのプリント機能の画面に遷移することができる。またＬＣＤ表示画面４０１下部には、画像形成装置１０１の状態や、選択している機能画面以外の機能の状況を示すステイタスメッセージ表示部４０４があり、さらに右下部には、画像形成装置１０１の状態や、選択している機能画面以外の機能の状況についての詳細を参照する画面に遷移するシステム状況キー４０５がある。
【００２９】
またＬＣＤ表示画面４０１の他に数値設定を入力するテンキー４０６がある。さらに画像形成装置１０１においてコピーやファクスなどの各機能を使用する際に、使用するユーザを判別するためのＩＤを入力する画面に遷移するＩＤキー４０７も設けられている。リセットキー４０８は動作設定画面４０２を規定機能に戻すものであり、詳細設定キー４０９は画像形成装置１０１の動作設定の詳細やネットワーク設定などを行う画面に遷移するためのものある。スタートキー４１０、ストップキー４１１は各機能の動作開始や中止を行うためのボタンである。
【００３０】
［スキャナ部２０１の構成］
図５を用いてスキャナ部２０１の構成を説明する。５０１は原稿台ガラスであり、読み取られるべき原稿５０２が置かれる。原稿５０２は照明ランプ５０３により照射され、その反射光はミラー５０４、５０５、５０６を経て、レンズ５０７によりＣＣＤ５０８上に結像される。ミラー５０４、照明ランプ５０３を含む第１ミラーユニット５１０は速度ｖで移動し、ミラー５０５、５０６を含む第２ミラーユニット５１１は速度１／２ｖで移動することにより、原稿５０２の全面を走査する。第１ミラーユニット５１０及び第２ミラーユニット５１１はモータ５０９により駆動する。スキャナ部２０１の各ユニット５１０、５１１の動作はスキャナコントローラ部５１２からの信号によって制御される。スキャナコントローラ部５１２は内部コントローラ２０４からの指示に応じて、各ユニット５１０、５１１の動作制御を行う。
【００３１】
次に図８を用いてスキャナコントローラ部５１２での画像処理について説明する。入力された光学的信号がＣＣＤセンサ６０１により電気信号に変換される。このＣＣＤセンサ６０１はＲＧＢラインのカラーセンサであり、Ｒ／Ｇ／Ｂそれぞれの画像信号としてＡ／Ｄ変換部６０２に入力される。ここでゲイン調整、オフセット調整をされた後、Ａ／Ｄコンバータで、各色信号毎に８ｂｉｔのデジタル画像信号Ｒ０，Ｇ０，Ｂ０に変換される。その後、６０３のシェーディング補正で色ごとに、基準白色板の読み取り信号を用いた、公知のシェーディング補正が施される。更に、ＣＣＤセンサ６０１の各色ラインセンサは、相互に所定の距離を隔てて配置されているため、ラインディレイ調整回路（ライン補間部）６０４において、副走査方向の空間的ずれが補正される。
【００３２】
次に、入力マスキング部６０５は、ＣＣＤセンサ６０１のＲ／Ｇ／Ｂフィルタの分光特性で決まる読取色空間を、ＮＴＳＣの標準色空間に変換する部分であり、ＣＣＤセンサ６０１の感度特性／照明ランプのスペクトル特性等の諸特性を考慮した装置固有の定数を用いた３ｘ３のマトリックス演算を行い、入力された（Ｒ０，Ｇ０，Ｂ０）信号を標準的な（Ｒ，Ｇ，Ｂ）信号に変換する。更に、輝度／濃度変換部（ＬＯＧ変換部）６０６はルックアップテーブル（ＬＵＴ）により構成され、ＲＧＢの輝度信号がＣ１，Ｍ１，Ｙ１の濃度信号になるように変換される。変換された信号は、装置内コントローラ部１０９に送出される。
【００３３】
次に、スキャナ部に備えられているＡＤＦの構成について説明する。
【００３４】
図６および図７は、自動原稿搬送装置（ＡＤＦ）の構成を示す斜視図および断面図である。
【００３５】
原稿積載部７０１は、原稿トレイ６００の積載面に原稿をセットするものである。原稿がセットされたことは原稿検知センサによって検知される。原稿検知センサは、後述するピックアップローラ７０２と給紙ローラ７０３の間に配置されている。
【００３６】
原稿給紙部７０４は、摩擦分離方式により原稿束の最上紙を１枚ずつ分離し、レジストローラ７０５まで原稿を搬送してゆくものである。
【００３７】
原稿を給紙する際には、ピックアップローラ７０２が原稿束の上に下降し、中板が上昇して原稿束を給紙ローラ７０３に押圧して給紙予備動作に入る。その後、モータを駆動源として給紙ローラ７０３とピックアップローラ７０２がＣＷ（Ｃｌｏｃｋ  Ｗｉｓｅ：時計回り方向）に回転し、原稿を搬送する。最上紙につれて送られようとする２枚目以降の原稿は、摩擦片により静止し、原稿積載部７０１に留まる。原稿が分離されたことは、給紙ローラ７０３の下流に配置された分離センサによって検知される。
【００３８】
その後、原稿はガイド板間を通り、レジストローラ対７０５に導かれる。レジストローラ対７０５は、原稿先端の到達時には停止しており、給紙ローラ７０３による搬送でループ形成して斜行補正をした後、原稿搬送部７０６に搬送される。
【００３９】
原稿搬送部７０６は、搬送ベルト７０７を駆動ローラ７０８、従動ローラ７０９で張架し、押圧コロ７１０にて搬送ベルト７０７を原稿台に押圧することにより搬送ベルト７０７を回動させる。原稿は、搬送ベルト７０７と原稿台の間に進入すると、搬送ベルト７０７の摩擦力により原稿台の上を搬送される。
【００４０】
原稿給紙部７０４から原稿搬送部７０６に進入した原稿は、搬送ベルト７０７により原稿台の所定位置まで搬送されると、図示しない駆動モータの停止に伴い停止し、原稿読取部により読取られる。読取終了後、駆動モータの再駆動により原稿は、図中右方向へ搬送され、反転排紙部７１１へ導入される。
【００４１】
ここで、後続原稿がある場合、後続原稿は、搬送ベルト７０７の回動により、先行原稿と同様にして所定位置まで搬送された後に駆動モータの停止に伴い読み取り位置に停止し、原稿読取部により読み取られる。この読取動作実行中に先行原稿が、独立して動作する反転排紙部７１１で表裏反転され、原稿排紙積載部７１２まで搬送される動作が継続実行される。
【００４２】
この反転排紙動作について説明する。
【００４３】
反転排紙部７１１は、搬送手段として反転ローラ７１３、搬送ローラ対７１４を持ち、この駆動源として図示しないモータを持つ。このモータは、正転、逆転可能な構成をとっている。こうして、別途のモータで駆動される原稿搬送部７０６と独立して駆動することが可能なように構成している。
【００４４】
次に反転排紙部７１１による原稿の排紙動作について説明する。
【００４５】
搬送ベルト７０７により原稿が反転排紙部７１１に入る時、その入口付近で紙の進行経路を規制する反転フラッパ７１５は図示しないソレノイドの制御により図中の姿勢をとり、原稿は反転ローラ７１３へと導入される。さらに、ＣＣＷ（Ｃｏｕｎｔｅｒ  Ｃｌｏｃｋ  Ｗｉｓｅ：逆時計回り方向）に回転する反転ローラ７１３とこれに対向する反転コロ７１６により鋏持され、搬送ローラ対７１４へ搬送されていく。
【００４６】
原稿後端が排紙フラッパを抜けた地点まで到達すると、排紙フラッパがＣＷに回動するとともに、反転ローラ７１３は逆転してＣＷに回転し、原稿のスイッチバック搬送を開始する。こうして原稿は反転ローラ７１３の図中左下に導入され、原稿排紙積載部７１２の原稿排紙トレイへ排出される。
【００４７】
［プリンタ部２０２の構成］
図９に、プリンタ部の概観図を示す。９０１は、半導体レーザ駆動部を持つポリゴンミラーであり、発光された４本のレーザ光を受ける。その内の１本はミラー９０２、９０３、９０４をへて感光ドラム９０５を走査し、次の１本はミラー９０６、９０７、９０８をへて感光ドラム９０９を走査し、次の１本はミラー９１０、９１１、９１２をへて感光ドラム９１３を走査し、次の１本はミラー９１４、９１５、９１６をへて感光ドラム９１７を走査する。
【００４８】
一方、９１８はイエロー（Ｙ）のトナーを供給する現像器であり、レーザ光に従い、感光ドラム９０５上にイエローのトナー像を形成し、９１９はマゼンタ（Ｍ）のトナーを供給する現像器であり、レーザ光に従い、感光ドラム９０９上にマゼンタのトナー像を形成し、９２０はシアン（Ｃ）のトナーを供給する現像器であり、レーザ光に従い、感光ドラム９１３上にシアンのトナー像を形成し、９２１はブラック（Ｋ）のトナーを供給する現像器であり、レーザ光に従い、感光ドラム９１７上にブラックのトナー像を形成する。以上４色（Ｙ，Ｍ，Ｃ，Ｋ）のトナー像がシートに転写され、フルカラーの出力画像を得ることができる。
【００４９】
シートカセット９２２、９２３および、手差しトレイ９２４のいずれかより給紙されたシートは、レジストローラ９２５を経て、転写ベルト９２６上に吸着され、搬送される。給紙のタイミングと同期がとられて、予め感光ドラム９０５、９０９、９１３、９１７には各色のトナーが現像されており、シートの搬送とともに、トナーがシートに転写される。各色のトナーが転写されたシートは、分離され、搬送ベルト９２７により搬送され、定着器９２８によって、トナーがシートに定着される。定着器９２８を抜けたシートはフラッパ９２９により一旦下方向へ導かれてシートの後端がフラッパ９２９を抜けた後、スイッチバックさせて排出する。これによりフェイスダウン状態で排出され、先頭頁から順にプリントしたときに正しいページ順となる。
【００５０】
なお、４つの感光ドラム９０５、９０９、９１３、９１７は、距離ｄをおいて、等間隔に配置されており、搬送ベルト９２４により、シートは一定速度ｖで搬送されており、このタイミング同期がなされて、ポリゴンミラー９０１の半導体レーザは駆動される。
【００５１】
［フィニッシャ部２０５の構成］
図１０に、フィニッシャ部２０５の概観図を示す。プリンタ部２０２の定着部７２８を出たシートは、フィニッシャ部２０５に入る。フィニッシャ部２０５には、サンプルトレイ１００１及びスタックトレイ１００２があり、ジョブの種類や排出されるシートの枚数に応じて切り替えて排出される。
【００５２】
ソート方式には２通りあり、複数のビンを有して各ビンに振り分けるビンソート方式と、後述の電子ソート機能とビン（または、トレイ）を奥手前方向にシフトしてジョブ毎に出力シートを振り分けるシフトソート方式によりソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００５３】
更に、スタックトレイ１００２に排出する場合には、シートが排出される前のシートをジョブ毎に蓄えておき、排出する直前にステープラ１００５にてバインドすることも可能である。
【００５４】
そのほか、上記２つのトレイに至るまでに、紙をＺ字状に折るためのＺ折り機１００４、ファイル用の２つ（または３つ）の穴開けを行うパンチャ１００６があり、ジョブの種類に応じてそれぞれの処理を行う。
【００５５】
更に、サドルステッチャ１００７は、シートの中央部分を２ヶ所バインドした後に、シートの中央部分をローラに噛ませることによりシートを半折りし、週刊誌やパンフレットのようなブックレットを作成する処理を行う。サドルステッチャ１００７で製本されたシートは、ブックレットトレイ１００８に排出される。
【００５６】
そのほか、図には記載されていないが、製本のためのグルー（糊付け）によるバインドや、あるいはバインド後にバインド側と反対側の端面を揃えるためのトリム（裁断）などを加えることも可能である。
【００５７】
また、インサータ１００３はトレイ１００９にセットされたシートをプリンタへ通さずにトレイ１００１、１００２、１００８のいずれかに送るためのものである。これによってフィニッシャ２０５に送り込まれるシートとシートの間にインサータ１００３にセットされたシートをインサート（中差し）することができる。インサータ１００３のトレイ１００９にはユーザによりフェイスアップの状態でセットされるものとし、ピックアップローラ１０１０により最上部のシートから順に給送する。従って、インサータ１００３からのシートはそのままトレイ１００１、１００２へ搬送することによりフェイスダウン状態で排出される。サドルステッチャ１００７へ送るときには、一度パンチャ１００６側へ送り込んだ後スイッチバックさせて送り込むことによりフェースの向きを合わせる。
【００５８】
次に、本実施例における差し替え印刷方法について説明する。
【実施例１】
【００５９】
［コンピュータ端末および画像形成装置を用いて差し替え印刷を行う場合］
（１）ボックス内に元原稿のドキュメントが残っていない場合
ドキュメントに対し、印刷を指定する（図１２−１２０１）と、図１３に示すようなプリンタドライバの画面１３０１が表示される（図１２―１２０２）。ここで、差し替え印刷チェックボックス１３０２にチェックを入れて実行ボタン１３０３を押すと、図１４に示すような差し替え印刷の設定画面１４０１が表示される（図１２−１２０３）。
【００６０】
差し替え印刷にチェックを入れなかった場合は、通常の印刷（図１２―１２１１）を行う。
【００６１】
１２０３へ遷移した場合、元原稿の部数１４０２に差し替え前の元原稿の部数、元原稿のページ数１４０３に差し替え前の元原稿のページ数を入力する。また、差し替え原稿の部数１４０４には、元原稿の部数１４０２で設定した値が自動的に反映される。ただし、差し替え原稿の部数１４０４は、値を入力し変更することは可能である。差し替え原稿のページ数１４０５には、図１３に示す印刷範囲で設定したページに応じて、自動的に反映される。１４０２〜１４０５の値を設定した後に、実行ボタン１４０６を押すと、図１５に示す差し替え部分を指定する画面１５０１が表示される（図１２―１２０５）。
【００６２】
ここでは、上段に元原稿の一覧、下段に差し替え原稿の一覧が表示され、元原稿に対し、挿入、削除、差し替えの設定が可能である。挿入１５０２は挿入ボタン１５１０を押し、差し替え原稿のページのうち挿入したいページ、元原稿の挿入したい所を順に指定すればよい。このとき、１５０２のように元原稿のページの間に線が表示され、また、差し替え原稿がそこに挿入されることを表す矢印が表示される。取り消ししたい場合は、取り消しボタン１５１３を押し、挿入ページを選択すればよい。
【００６３】
削除１５０３は削除ボタン１５１１を押し、削除したい元原稿のページを指定すればよい。このとき削除されるページは図に示すようにバツ印で表示される。また、取り消しは取り消しボタン１５１３を押し、削除されるページを指定すればよい。差し替え１５０４は、差し替えボタン１５１２を押し、差し替え原稿のページ、元原稿のページを指定すればよい。このとき、１５０４のように差し替えられる元原稿のページはバツ印で表示され、差し替えを行うことを表す矢印が表示される。
【００６４】
取り消しは、取り消しボタン１５１３を押し、差し替え原稿のページを指定すればよい。また、複数ページでの差し替え１５０５は差し替えを行う元原稿の同じページを指定すればよい。このとき、１５０５のように同じページに対し、差し替えを示す矢印が表示される。また、ページ数が多くドキュメント全体が表示されないときは、元原稿は１５０６、差し替え原稿は１５０７のスクロールバーにある矢印ボタンを押せばよい。このとき、右矢印を押すと後ろのページが、左矢印を押すと前のページが表示される。
【００６５】
また、ページを選択し、プレビューボタン１５０８を押すとそのページのプレビューを見ることができる。以上の操作を行い、差し替えの指定が終わったら、実行ボタン１５０９を押す（図１２−１２０６）と、差し替え印刷情報である元原稿の部数、ページ数、差し替え原稿の部数、ページ数、挿入、削除、差し替えはプリンタドライバを介して、印刷ドキュメントのＰＤＬに含まれて外部コントローラ１０４に送出される。
【００６６】
外部コントローラ１０４はコンピュータ端末１０６より受信したＰＤＬを解釈しページ単位の画像をつくる（図１２−１２０７）。
【００６７】
その後、ユーザはボックス内の差し替え印刷ジョブを選択すると図１６に示す差し替え印刷開始の画面が表示される。ここで元原稿をインサータ１００３のトレイ１００９へセットし、ＯＫボタンを押す（図１２−１２０８）。
【００６８】
すると、装置内のコントローラは差し替え印刷を開始する（図１２−１２０９）。
【００６９】
この差し替え印刷の処理を図１１に示す。元原稿または、差し替え原稿の部数分のいずれかの印刷が完了したかの判断（１１０１）を行い、まだいずれも完了していないのであれば、印刷を行うページに対し、印刷ジョブに含まれる削除、挿入、差し替えによってページの処理を判定する（１１０２）。この判定により、削除、挿入、差し替えを実行する。削除では、インサータ１００３はトレイ１００９にセットされたシートをサンプルトレイ１００１へ排出する（図１１−１１０３）。
【００７０】
挿入では、装置内コントローラ２０４は該当ページをＨＤＤ３０５が画像メモリ３０４に読み出し、画像処理部３０３を介してプリンタ部２０２に送出する（図１１−１１０４）。プリンタ部で印刷を行った後に、スタックトレイ１００２へ排出する。差し替えでは、１１０５、１１０６を行うが、これは、挿入で行う１１０３および、削除で行う１１０４の両方を実行することと同等である。また、この１１０５、１１０６は逆の順番で行っても良い。以降、元原稿または、差し替え原稿の部数が完了するまで差し替え印刷を繰り返す。
【００７１】
この差し替え印刷が終了したら、元原稿と差し替え原稿での部数の増減による処理を行う（図１２−１２１０）。
【００７２】
ここでは、部数の増減がない場合は何も行わない。元原稿の部数の方が多かった場合、元原稿と差し替え原稿との部数の差と元原稿のページ数の積の枚数分インサータ１００３はトレイ１００９にセットされたシートをサンプルトレイ１００１へ排出する。差し替え原稿の部数の方が多かった場合、差し替え原稿と元原稿の部数の差の部数分、差し替え原稿の全ページを通常印刷を行う。
【００７３】
以上の操作を行うことで、差し替え印刷が完了する。
【００７４】
（２）ボックス内に元原稿のドキュメントが残っている場合
ドキュメントに対し、印刷を指定する（図１２−１２０１）と、図１３に示すようなプリンタドライバの画面１３０１が表示される（図１２―１２０２）。ここで、差し替え印刷チェックボックス１３０２にチェックを入れて実行ボタン１３０３を押すと、図１４に示すような差し替え印刷の設定画面１４０１が表示される（図１２−１２０３）。
【００７５】
差し替え印刷にチェックを入れなかった場合は、通常の印刷（図１２―１２１１）を行う。
【００７６】
１２０３へ遷移した場合に元ジョブを探すボタン１４０７を押すとコンピュータ端末は画像形成装置において、元原稿のジョブを探す。もし、見つかった場合は、「元ジョブが見つかりました」というメッセージを表示し、元ジョブの部数、ページ数の情報により１４０２〜１４０５までの値が自動的に決定される。ここで、差し替え原稿の部数１４０４は再度指定可能である。その後、決定ボタン１４０６を押すと、
図１５のような差し替え部分を指定する画面が表示される。ここで、元ジョブのドキュメントと差し替え原稿のドキュメントを比較し、自動的に削除、挿入、差し替えの指定を行ってくれる。ユーザは、差し替えの確認を行った後、実行ボタン１５０９を押す（図１２−１２０６）と、差し替え印刷情報である元原稿の部数、ページ数、差し替え原稿の部数、ページ数、挿入、削除、差し替えはプリンタドライバを介して、印刷ドキュメントのＰＤＬに含まれて外部コントローラ１０４に送出される。
【００７７】
外部コントローラ１０４はコンピュータ端末１０６より受信したＰＤＬを解釈しページ単位の画像をつくる（図１２−１２０７）。
【００７８】
その後、ユーザはボックス内の差し替え印刷ジョブを選択すると図１６に示す差し替え印刷開始の画面が表示される。ここで元原稿をインサータ１００３のトレイ１００９へセットし、ＯＫボタンを押す（図１２−１２０８）。
【００７９】
すると、装置内のコントローラは差し替え印刷を開始する（図１２−１２０９）。
【００８０】
この差し替え印刷の処理を図１１に示す。元原稿または、差し替え原稿の部数分のいずれかの印刷が完了したかの判断１１０１を行い、まだいずれも完了していないのであれば、印刷を行うページに対し、印刷ジョブに含まれる削除、挿入、差し替えによってページの処理を判定する１１０２。この判定により、削除、挿入、差し替えを実行する。削除では、インサータ１００３はトレイ１００９にセットされたシートをサンプルトレイ１００１へ排出する（図１１−１１０３）。挿入では、装置内コントローラ２０４は該当ページをＨＤＤ３０５が画像メモリ３０４に読み出し、画像処理部３０３を介してプリンタ部２０２に送出する（図１１−１１０４）。プリンタ部で印刷を行った後に、スタックトレイ１００２へ排出する。差し替えでは、１１０５、１１０６を行うが、これは、挿入で行う１１０３および、削除で行う１１０４の両方を実行することと同等である。また、この１１０５、１１０６は逆の順番で行っても良い。以降、元原稿または、差し替え原稿の部数が完了するまで差し替え印刷を繰り返す。
【００８１】
この差し替え印刷が終了したら、元原稿と差し替え原稿での部数の増減による処理を行う（図１２−１２１０）。ここでは、部数の増減がない場合は何も行わない。元原稿の部数の方が多かった場合、元原稿と差し替え原稿との部数の差と元原稿のページ数の積の枚数分インサータ１００３はトレイ１００９にセットされたシートをサンプルトレイ１００１へ排出する。差し替え原稿の部数の方が多かった場合、差し替え原稿と元原稿の部数の差の部数分、差し替え原稿の全ページを通常印刷を行う。
【００８２】
以上の操作を行うことで、差し替え印刷が完了する。
【００８３】
ここで、実施例１における具体例を示す。
【００８４】
（具体例１）部数変更がない場合
元原稿の部数を１０、ページ数を２０、差し替え原稿の部数を１０、ページ数を２０とし、元原稿の５ページ目を差し替え原稿の５ページ目と差し替え、元原稿の１０ページ目を削除、元原稿の１２ページ目と１３ページ目の間に差し替え原稿の１２ページ目を挿入する例を示す。
【００８５】
まず、ユーザは差し替え原稿を印刷する際に、図１３に示すプリンタドライバの画面で、印刷範囲を全てにチェック、部数に１０を入力、差し替え印刷チェックボックス１３０２にチェックを入れて、実行ボタン１３０３を押すと、図１４に示すような差し替え印刷設定画面１４０１が表示される。
【００８６】
ここで、元原稿の部数１４０２に１０、ページ数１４０３に２０を入力する。
【００８７】
このとき、差し替え原稿の部数１４０４、ページ数１４０５は図１３のプリンタドライバで指定した値が自動的に反映され、部数に１０、ページ数に２０が表示される。ここで、ユーザが実行ボタン１４０６を押すと、図１５に示す差し替え部分を指定する画面１５０１が表示される。
【００８８】
ここで、差し替えボタン１５１２を押し、差し替え原稿の５ページ目、元原稿の５ページ目を指定する。次に、削除ボタン１５１１を押し、元原稿の１０ページ目を指定する。最後に、挿入ボタン１５１０を押し、差し替え原稿の１２ページ目、元原稿の１２ページ目と１３ページ目の間を指定する。以上の操作を行った後に、実行ボタン１５０９を押すと、差し替え印刷情報である元原稿の部数、ページ数、差し替え原稿の部数、ページ数、および挿入、削除、差し替えの情報がプリンタドライバを介して、印刷ドキュメントのＰＤＬに含まれて外部コントローラ１０４へ送出される。
【００８９】
外部コントローラ１０４はコンピュータ端末１０６から受信したＰＤＬを解釈し、ページ単位の画像を作る。
【００９０】
その後、ユーザは画像形成装置のボックスから、差し替え印刷ジョブを選択すると図１６に示す差し替え印刷開始の画面が表示される。ここで、元原稿をインサータ１００３のトレイ１００９へセットし、ＯＫボタンを押す。
【００９１】
すると、装置内のコントローラは差し替え印刷を開始する。
【００９２】
この具体例では、インサータへセットされた元原稿から４枚、すなわち、元原稿の１部目の１〜４ページをスタックトレイ１００２へ排出する。次に、元原稿から１枚、すなわち元原稿の１部目の５ページ目をサンプルトレイ１００１へ排出する。その後、プリンタ部は差し替え原稿であるＰＤＬから５ページ目を印刷し、スタックトレイ１００２へ排出する。次に、元原稿から４枚、すなわち、元原稿の１部目の６〜９ページをスタックトレイ１００２へ排出する。次に、元原稿から１枚、すなわち、元原稿の１部目の１０ページ目をサンプルトレイ１００１へ排出する。
【００９３】
次に、元原稿から２枚、すなわち、元原稿の１部目の１１〜１２ページ目をスタックトレイ１００２へ排出する。次に、プリンタ部は差し替え原稿であるＰＤＬから１２ページ目を印刷し、スタックトレイ１００２へ排出する。次に、元原稿から８枚、すなわち、元原稿の１部目の１３〜２０ページをスタックトレイ１００２へ排出する。
【００９４】
２部目以降も同様の処理を行うことで、差し替え後の印刷物１０部がスタックトレイ１００２へ排出され、不要なページがサンプルトレイ１００１へ排出され、差し替え印刷が完了する。
【００９５】
（具体例２）部数が増える場合
ここでは、具体例１で示したものの、差し替え原稿の部数を１５に変更した場合を示す。この具体例では、ユーザは図１３に示すプリンタドライバ画面で、部数を１５と入力し、差し替え印刷チェックボックス１３０２にチェックを入れて、実行ボタン１３０３を押す。
【００９６】
以降、具体例１の最後、すなわち、１０部目の差し替え印刷が行われるまでは、具体例１と同様の処理を行う。１０部目の印刷後、１１〜１５部にあたる５部をＰＤＬに含まれる全ページを印刷し、スタックトレイ１００２へ排出する。
【００９７】
これにより、差し替え後の印刷物１５部がスタックトレイ１００２へ排出され、不要なページがサンプルトレイ１００１へ排出され、差し替え印刷が完了する。
【００９８】
（具体例３）部数が減る場合
ここでは、具体例１で示したものの、差し替え原稿の部数を７に変更した場合を示す。この具体例では、ユーザは図１３に示すプリンタドライバ画面で、部数を７と入力し、差し替え印刷チェックボックス１３０２にチェックを入れて、実行ボタン１３０３を押す。
【００９９】
以降、具体例１の最後、すなわち、７部目の差し替え印刷が行われるまでは、具体例１と同様の処理を行う。すると、インサータ１００３に元原稿８〜１０部の３部が残っているので、２０ページ×３部の計６０枚全てをサンプルトレイ１００１へ排出する。
【０１００】
これにより、差し替え後の印刷物７部がスタックトレイ１００２へ排出され、不要なページがサンプルトレイ１００１へ排出され、差し替え印刷が完了する。
【実施例２】
【０１０１】
［画像形成装置単体で差し替え印刷を行う場合］
（１）ボックス内に元原稿のドキュメントが残っていない場合
画像形成装置において、差し替え印刷を指定する（図１７−１７０１）と、図１４に示すような差し替え印刷の設定画面１４０１が表示される（図１７−１７０２）。
【０１０２】
元原稿の部数１４０２に差し替え前の元原稿の部数、元原稿のページ数１４０３に差し替え前の元原稿の部数、ページ数を入力する。１４０２〜１４０５の値を設定した後に、実行ボタン１４０６を押すと、図１５に示す差し替え部分を指定する画面１５０１が表示される（図１７―１７０３）。
【０１０３】
ここでは、上段に元原稿の一覧、下段に差し替え原稿の一覧が表示され、元原稿に対し、挿入、削除、差し替えの設定が可能である。挿入１５０２は挿入ボタン１５１０を押し、差し替え原稿のページのうち挿入したいページ、元原稿の挿入したい所を順に指定すればよい。このとき、１５０２のように元原稿のページの間に線が表示され、また、差し替え原稿がそこに挿入されることを表す矢印が表示される。取り消ししたい場合は、取り消しボタン１５１３を押し、挿入ページを選択すればよい。
【０１０４】
削除１５０３は削除ボタン１５１１を押し、削除したい元原稿のページを指定すればよい。このとき削除されるページは図に示すようにバツ印で表示される。また、取り消しは取り消しボタン１５１３を押し、削除されるページを指定すればよい。差し替え１５０４は、差し替えボタン１５１２を押し、差し替え原稿のページ、元原稿のページを指定すればよい。このとき、１５０４のように差し替えられる元原稿のページはバツ印で表示され、差し替えを行うことを表す矢印が表示される。
【０１０５】
取り消しは、取り消しボタン１５１３を押し、差し替え原稿のページを指定すればよい。また、複数ページでの差し替え１５０５は差し替えを行う元原稿の同じページを指定すればよい。このとき、１５０５のように同じページに対し、差し替えを示す矢印が表示される。また、ページ数が多くドキュメント全体が表示されないときは、元原稿は１５０６、差し替え原稿は１５０７のスクロールバーにある矢印ボタンを押せばよい。
【０１０６】
このとき、右矢印を押すと後ろのページが、左矢印を押すと前のページが表示される。また、ページを選択し、プレビューボタン１５０８を押すとそのページのプレビューを見ることができる。以上の操作を行い、差し替えの指定が終わったら、実行ボタン１５０９を押すと、元原稿および、差し替え原稿をセットするよう促すメッセージが表示される。
【０１０７】
ここでユーザは、元原稿をインサータ１００３のトレイ１００９へ、差し替え原稿を画像読取装置へセットし（図１７−１７０４）、印刷ボタンを押す（図１７−１７０５）。
【０１０８】
ここで、差し替え印刷（図１７−１７０６）が開始される。
【０１０９】
差し替え印刷情報である元原稿の部数、ページ数、差し替え原稿の部数、ページ数、挿入、削除、差し替えは外部コントローラ１０４に送出される。
【０１１０】
外部コントローラ１０４は画像読み取り装置にある差し替え後の原稿のイメージを読み取る。
【０１１１】
この差し替え印刷の処理を図１１に示す。元原稿または、差し替え原稿の部数分のいずれかの印刷が完了したかの判断（１１０１）を行い、まだいずれも完了していないのであれば、印刷を行うページに対し、印刷ジョブに含まれる削除、挿入、差し替えによってページの処理を判定する（１１０２）。この判定により、削除、挿入、差し替えを実行する。削除では、インサータ１００３はトレイ１００９にセットされたシートをサンプルトレイ１００１へ排出する（図１１−１１０３）。挿入では、装置内コントローラ２０４は該当ページをＨＤＤ３０５が画像メモリ３０４に読み出し、画像処理部３０３を介してプリンタ部２０２に送出する（図１１−１１０４）。
【０１１２】
プリンタ部で印刷を行った後に、スタックトレイ１００２へ排出する。差し替えでは、１１０５、１１０６を行うが、これは、挿入で行う１１０３および、削除で行う１１０４の両方を実行することと同等である。また、この１１０５、１１０６は逆の順番で行っても良い。以降、元原稿または、差し替え原稿の部数が完了するまで差し替え印刷を繰り返す。
【０１１３】
この差し替え印刷が終了したら、元原稿と差し替え原稿での部数の増減による処理を行う（図１７−１７０７）。ここでは、部数の増減がない場合は何も行わない。元原稿の部数の方が多かった場合、元原稿と差し替え原稿との部数の差と元原稿のページ数の積の枚数分インサータ１００３はトレイ１００９にセットされたシートをサンプルトレイ１００１へ排出する。差し替え原稿の部数の方が多かった場合、差し替え原稿と元原稿の部数の差の部数分、差し替え原稿の全ページを通常印刷を行う。
【０１１４】
以上の操作を行うことで、差し替え印刷が完了する。
【０１１５】
（２）ボックス内に元原稿のドキュメントが残っている場合
画像形成装置において、差し替え印刷を指定する（図１７−１７０１）と、図１４に示すような差し替え印刷の設定画面１４０１が表示される（図１７−１７０２）。
【０１１６】
元ジョブを探すボタン１４０７を押すと、ユーザが元原稿のジョブを探すことができる。もし、見つかった場合は、「元ジョブが見つかりました」というメッセージを表示し、元ジョブの部数、ページ数の情報により１４０２〜１４０５までの値が自動的に決定される。ここで、差し替え原稿の部数１４０４は再度指定可能である。その後、決定ボタン１４０６を押すと、
図１５のような差し替え部分を指定する画面が表示される（図１７−１７０３）。ここで、元ジョブのドキュメントと差し替え原稿のドキュメントを比較し、自動的に削除、挿入、差し替えの指定を行ってくれる。ユーザは、差し替えの確認を行った後、実行ボタン１５０９を押すと、元原稿および、差し替え原稿をセットするよう促すメッセージが表示される。
【０１１７】
ここでユーザは、元原稿をインサータ１００３のトレイ１００９へ、差し替え原稿を画像読取装置へセットし（図１７−１７０４）、印刷ボタンを押す（図１７−１７０５）。
【０１１８】
ここで、差し替え印刷（図１７−１７０６）が開始される。
【０１１９】
差し替え印刷情報である元原稿の部数、ページ数、差し替え原稿の部数、ページ数、挿入、削除、差し替えは外部コントローラ１０４に送出される。
【０１２０】
外部コントローラ１０４は画像読み取り装置にある差し替え後の原稿のイメージを読み取る。
【０１２１】
この差し替え印刷の処理を図１１に示す。元原稿または、差し替え原稿の部数分のいずれかの印刷が完了したかの判断９０１を行い、まだいずれも完了していないのであれば、印刷を行うページに対し、印刷ジョブに含まれる削除、挿入、差し替えによってページの処理を判定する（１１０２）。この判定により、削除、挿入、差し替えを実行する。削除では、インサータ１００３はトレイ１００９にセットされたシートをサンプルトレイ１００１へ排出する（図１１−１１０３）。挿入では、装置内コントローラ２０４は該当ページをＨＤＤ３０５が画像メモリ３０４に読み出し、画像処理部３０３を介してプリンタ部２０２に送出する（図１１−１１０４）。
【０１２２】
プリンタ部で印刷を行った後に、スタックトレイ１００２へ排出する。差し替えでは、１１０５、１１０６を行うが、これは、挿入で行う１１０３および、削除で行う１１０４の両方を実行することと同等である。また、この１１０５、１１０６は逆の順番で行っても良い。以降、元原稿または、差し替え原稿の部数が完了するまで差し替え印刷を繰り返す。
【０１２３】
この差し替え印刷が終了したら、元原稿と差し替え原稿での部数の増減による処理を行う（図１７−１７０７）。ここでは、部数の増減がない場合は何も行わない。元原稿の部数の方が多かった場合、元原稿と差し替え原稿との部数の差と元原稿のページ数の積の枚数分インサータ１００３はトレイ１００９にセットされたシートをサンプルトレイ１００１へ排出する。差し替え原稿の部数の方が多かった場合、差し替え原稿と元原稿の部数の差の部数分、差し替え原稿の全ページを通常印刷を行う。
【０１２４】
以上の操作を行うことで、差し替え印刷が完了する。
【図面の簡単な説明】
【０１２５】
【図１】本発明の実施形態のシステム全体を示す図。
【図２】画像形成装置全体のブロック図。
【図３】画像形成装置内のコントローラのブロック図。
【図４】画像形成装置の操作部を示す図。
【図５】画像形成装置のスキャナ部を示す図。
【図６】画像形成装置のＡＤＦ部模式図。
【図７】画像形成装置のＡＤＦ部断面図。
【図８】画像形成装置のスキャナコントローラのブロック図。
【図９】画像形成装置のプリンタ部を示す図。
【図１０】画像形成装置のフィニッシャ部を示す図。
【図１１】差し替え印刷のフローチャート。
【図１２】本発明の実施例１におけるフローチャート。
【図１３】プリント時の差し替え印刷選択画面を示す図
【図１４】差し替え印刷における部数、ページ数設定画面を示す図
【図１５】差し替え部分を指定する設定画面を示す図
【図１６】ボックス蓄積文書を選択した際の操作部画面例を示す図。
【図１７】本発明の実施例２におけるフローチャート。
【符号の説明】
【０１２６】
１０１  画像形成装置
１０２  内部ネットワーク
１０３  Ｖｉｄｅｏケーブル
１０４  外部コントローラ
１０５  外部ネットワーク
１０６  コンピュータ端末
２０１  スキャナ部
２０２  プリンタ部
２０３  操作部
２０４  装置内コントローラ
２０５  フィニッシャ部
３０１  ＣＰＵ
３０２  ワークメモリ
３０３  画像処理部
３０４  画像メモリ
３０５  ＨＤＤ
３０６  ファクシミリ通信部
３０７  ネットワークインターフェイス部
【図１】
2007043375.tif 000003
【図２】
2007043375.tif 000004
【図３】
2007043375.tif 000005
【図４】
2007043375.tif 000006
【図５】
2007043375.tif 000007
【図６】
2007043375.tif 000008
【図７】
2007043375.tif 000009
【図８】
2007043375.tif 000010
【図９】
2007043375.tif 000011
【図１０】
2007043375.tif 000012
【図１１】
2007043375.tif 000013
【図１２】
2007043375.tif 000014
【図１３】
2007043375.tif 000015
【図１４】
2007043375.tif 000016
【図１５】
2007043375.tif 000017
【図１６】
2007043375.tif 000018
【図１７】
2007043375.tif 000019